(57)【要約】      （修正有）【課題】安全でおいしい水を供給可能なペット用給水器を提供する。【解決手段】ペット用給水器３００は、中空糸膜カートリッジと、中空糸膜カートリッジに水を供給する貯水部２と、中空糸膜カートリッジを通過した水を貯留する給水部３と、を備える。【選択図】図３
0003218829.tif 000002
【実用新案登録請求の範囲】
【請求項１】
中空糸膜カートリッジと、
前記中空糸膜カートリッジに水を供給する貯水部と、
前記中空糸膜カートリッジを通過した水を貯留する給水部と、
を備えるペット用給水器。
【請求項２】
前記給水部に貯留された水を前記貯水部に供給する揚水路と、揚水ポンプと、をさらに備える、請求項１に記載のペット用給水器。
【請求項３】
前記給水部の下流に位置する受水部をさらに備え、
前記揚水路が、前記受水部を経由する、請求項２に記載のペット用給水器。
【請求項４】
前記中空糸膜カートリッジを経由せずに、前記貯水部から、前記給水部に水を供給するバイパス流路をさらに備える、請求項１〜３のいずれか１項に記載のペット用給水器。
【請求項５】
前記中空糸膜カートリッジを経由せずに、前記貯水部から、前記受水部に水を供給するバイパス流路をさらに備える、請求項３に記載のペット用給水器。
【請求項６】
前記バイパス流路が、吸着材を含むろ過部を経由する、請求項４又は５に記載のペット用給水器。
【請求項７】
前記吸着材が、活性炭、イオン交換樹脂、及びこれらの組み合わせからなる群より選択される、請求項６に記載のペット用給水器。
【請求項８】
水を冷却する冷却部をさらに備える、請求項１〜７のいずれか１項に記載のペット用給水器。
【請求項９】
前記貯水部の貯水量を制御する制御部をさらに備える、請求項１〜８のいずれか１項に記載のペット用給水器。
【請求項１０】
給水器内の水量を検出する検出部と、減少した水量を自動補給する自動補給部とをさらに備える、請求項１〜９のいずれか１項に記載のペット用給水器。
【考案の詳細な説明】
【技術分野】
【０００１】
本考案はペット用給水器に関する。
【背景技術】
【０００２】
フィルタを備えることによって水中の塵埃を除去し得る、循環式のペット用給水器が知られている（非特許文献１）。
【先行技術文献】
【非特許文献】
【０００３】
【非特許文献１】ピュアクリスタル製品情報、[online]、ジェックス株式会社ホームページ、［２０１６年７月２０日検索］、インターネット＜http://www.p-crystal.jp/＞
【考案の概要】
【考案が解決しようとする課題】
【０００４】
水道水中に含まれる赤錆等の微細物、及び、貯留水中で増殖し得る大腸菌等の菌類をより好適に除去することができるペット用浄水器が求められている。
【０００５】
そこで、本考案は、上記の問題点に鑑みてなされたものであり、より安全でおいしい水を供給可能なペット用給水器を提供することを目的とする。
【課題を解決するための手段】
【０００６】
上記の課題を解決するために、本考案に係るペット用給水器は、中空糸膜カートリッジと、前記中空糸膜カートリッジに水を供給する貯水部と、前記中空糸膜カートリッジを通過した水を貯留する給水部と、を備える。
【考案の効果】
【０００７】
本考案の一態様によれば、安全でおいしい水を供給可能なペット用給水器を提供することができる。
【図面の簡単な説明】
【０００８】
【図１】本考案の実施形態１に係るペット用給水器の概略構成を示す（ａ）斜視図及び（ｂ）断面図である。
【図２】本考案の実施形態２に係るペット用給水器の概略構成を示す（ａ）斜視図及び（ｂ）断面図である。
【図３】本考案の実施形態３に係るペット用給水器の概略構成を示す（ａ）斜視図及び（ｂ）断面図である。
【図４】本考案の実施形態４に係るペット用給水器の概略構成を示す（ａ）斜視図及び（ｂ）断面図である。
【考案を実施するための形態】
【０００９】
以下、本考案の実施の形態について、図１〜４を参照して詳細に説明する。
【００１０】
〔実施形態１〕
図１は、本実施形態に係るペット用給水器１００の概略構成を示す（ａ）斜視図及び（ｂ）断面図である。
【００１１】
図１に示されるとおり、本実施形態に係るペット用給水器１００は、中空糸膜カートリッジ１と、その上流に位置して、中空糸膜カートリッジに水を供給する貯水部２と、その下流に位置して、中空糸膜カートリッジ１を通過した水を貯留する給水部３とを備える。
【００１２】
中空糸膜カートリッジ１としては、上端部に水導入口４を有し、下端部に浄水出口５を有する略筒状ケーシング内に、水を浄化する濾材として、柱状に束ねられた多数本の中空糸膜６が装填されたカートリッジを用いることができる。水導入口４には、中空糸膜の目詰まりを防ぐために、塵埃等の固形物を除去するメッシュ部材を配してもよい。同様に、浄水出口５には、濾材の漏出を防ぐメッシュ部材を配してもよい。
【００１３】
中空糸膜６としては、浄水カートリッジのろ過材として通常用いられる任意のものを使用することができる。具体的には、セルロース系、ポリオレフィン系（ポリエチレン、ポリプロピレン）、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ弗化エチレン（テフロン（登録商標））系、ポリカーボネート系、ポリエステル系、ポリアミド系、芳香族ポリアミド系等の各種材料からなるものを使用することができる。これらの材料の中でも、特に、膜の強伸度や耐屈曲性、取扱性や耐薬品性の高さ等を考慮すると、ポリエチレンやポリプロピレン等のポリオレフィン系中空糸膜を使用することが好ましい。これらの材料の中でも、膜の強伸度、耐屈曲性、又は流量及び濁りろ過性能を考慮すると、ポリエチレン系中空糸膜を使用することが好ましい。
【００１４】
中空糸膜６の充填率は、ケーシング及び貯水部のサイズ、浄化の程度、所望の通水速度等に応じて、適宜に設定することができる。
【００１５】
また、水導入口４及び浄水出口５は、ケーシングの端面の全面に開口するものであってよく、又は、端面の一部に開口部として設けられていてもよい。水導入口４及び浄水出口５の開口面積は、ケーシング及び貯水部のサイズ、浄化の程度、所望の通水速度等に応じて、適宜に設定することができる。
【００１６】
貯水部２の形状として、図１においては有底の略円柱状であるが、これに限定されず、角柱状等、一定量の水を貯留する任意の形状であってよい。また、貯水部２の底部又は側壁には、中空糸膜カートリッジ１に水を供給する供給口が設けられている。図１においては、貯水部２の底面に中空糸膜カートリッジ１の水導入口が接続されているが、これに限定されず、貯水部２の供給口と、中空糸膜カートリッジ１の水導入口との間に、これらを連通する連通管が配されてもよい。
【００１７】
給水部３の形状として、図１においては、有底の略円錐台状であるが、これに限定されず、円柱状、角柱状、角錐台状等、一定量の水を貯留し、且つ、例えばイヌ、ネコ等のペットへ給水し得る任意の形状であってよい。また、図１においては、中空糸膜カートリッジ１の浄水出口を通過した水が、給水部３上に落下する構成となっているが、これに限定されず、中空糸膜カートリッジ１の浄水出口と、給水部３との間に、これらを連通する連通管が配されてもよい。あるいは、中空糸膜カートリッジ１の浄水出口と給水部３との間に、これらを連通する垂直板又は傾斜板が配されてもよい。この場合、浄水出口から排出された浄水は、垂直板又は傾斜板の壁面をつたって、給水部３内に貯留される。なお、壁面をつたって流れる水は、ペットの興味を引きやすく、ペットに水飲みを促し得る点で利点を有する。
【００１８】
ペット用給水器１００は、中空糸膜カートリッジ１、貯水部２及び給水部３に加えて、更なる機能を提供する部材を備えていてよい。例えば、貯水部２及び給水部３は、貯留する水を冷却する冷却部をさらに備えてもよい。また、貯水部２の貯水量を制御する制御部をさらに備えてもよい。制御部の構成としては、例えば、貯水部２の貯水量を検知するセンサ、及び、検知された貯水量に応じて、給水量を制御する弁等の部材であってもよい。また、給水器内の水量を検出する検出部、減少した水量を自動補給する自動補給部等をさらに備えてもよい。
【００１９】
本実施形態に係るペット用給水器１００の使用にあたっては、貯水部２に所定量の原水を補給する。貯水部２内の原水は、その底面に接続される中空糸膜カートリッジ１の水導入口４からカートリッジ１内部に流入し、自重により落下して、中空糸膜６の束を通過し、浄水出口５から流出する。流出した浄水は、給水部３内に貯留する。中空糸膜６を通過した水は、細菌や赤錆等の微粒子が除去されているため、安全でおいしい水をペットに供給することができる。
【００２０】
〔実施形態２〕
次に、図２（ａ）及び（ｂ）に基づいて、実施形態２について説明する。
【００２１】
図２は、本実施形態に係るペット用給水器２００の概略構成を示す（ａ）斜視図及び（ｂ）断面図である。
【００２２】
本実施形態においては、給水部３に貯留された水を、貯水部２に供給する揚水路８と、揚水ポンプ７とが設けられている点、及び、給水部３の形状が有底の角錐台状である点において実施形態１と異なり、その他の点については、実施形態１において説明したとおりである。
【００２３】
本実施形態において、図２（ｂ）に示されるとおり、給水部３内の一部に揚水ポンプ７が設置されており、汲み上げられた水は、揚水路８を経由して、貯水部２に供給される。貯水部２に送られた水は、自重により再び落下し、中空糸膜カートリッジ１を通過して、再浄化され、給水部３に落下して貯水される。これにより、ペット用給水器２００は、循環型給水器として、動物が接触する等により汚染された水を、常時、浄化しながら供給することができる。中空糸膜６を通過した浄水は、細菌の繁殖が抑制される。したがって、十分量の水を給水器３に補給しておくことにより、例えば、飼育者が旅行により家を離れる場合であっても、長期にわたって、安全な水をペットに供給することができる。
【００２４】
さらに、ペット用給水器２００は、水の循環により、給水部３に水流が生じる。水流はペットの興味を引くため、ペットに水飲みを促すことができ、イヌ、ネコ等のペット用給水器として好適に利用可能である。
【００２５】
本実施形態に係るペット用給水器２００の使用にあたっては、貯水部２及び／又は給水部３に所定量の原水を補給し、揚水ポンプ７を稼働させて水を循環させればよい。
【００２６】
〔実施形態３〕
次に、図３（ａ）及び（ｂ）に基づいて、実施形態３について説明する。
【００２７】
図３は、本実施形態に係るペット用給水器３００の概略構成を示す（ａ）斜視図及び（ｂ）断面図である。
【００２８】
本実施形態においては、図３（ｂ）に示されるとおり、連通壁１４の上部に貯水部２が設けられ、下部に給水部３が設けられている。また、貯水部２と給水部３との間には、中空糸膜カートリッジ１の浄水出口から落下した浄水を受ける浄水受け室１６が設けられている。なお、図３において、貯水部２と給水部３との間の連通壁１４は垂壁であるが、任意の角度で傾斜した傾斜壁であってもよい。
【００２９】
浄水受け室１６の底面と連通壁１４との間には、所定幅の隙間又は開口部が設けられており、浄水出口から浄水受け室１６の底面に落下した浄水が、連通壁１４の壁面をつたって給水部３に流れ込むようになっている。これにより、ペットは、給水部３に貯留した浄水だけでなく、壁面を流下する浄水も飲用することができる。
【００３０】
また、本実施形態において、給水部３のさらに下流に、給水部３から流出した水を貯留する受水部１２が設けられている。給水部３に貯留された水が一定量を超えると、給水部３の側壁に開口する排出口１５から、受水部１２内に水が流入する。排出口１５は、図３（ａ）に示されるように給水部３の側壁に開口していてもよく、あるいは、給水部３の土手部に設けられていてもよい。または、排出口１５は、給水部３から溢出する水を受水部１２内に導入する任意の開口形状であってよく、例えば給水部３の側壁を取り囲むスリット形状であってもよい。
【００３１】
受水部１２を設けることにより、ペットが給水する給水部３に、水流を発生させることができる。溢出する水は、ペットの水飲みを促す点において好ましい。また、中空糸膜カートリッジ１を通過する水の落下速度（通水速度）、揚水ポンプの送液速度、及び、ペットが給水することにより減少する水量等を厳密に管理せずとも、給水部３から給水器外に水が溢出するのを防ぐことができる。また、排出口１５の位置を調節することにより、給水部３内には、常に、所望の最適量を維持することが可能である。例えば、雑菌の混入を防ぐためには、給水部３内には、ペットの１回分の給水に十分な最小量が貯留されていることが好ましい。
【００３２】
さらに、給水器の最下部に、溢出する水を収容する受水部１２を設けて重心を低下させることにより、給水器を転倒しにくくする利点がある。例えば、給水器にペットが衝突した場合であっても、受水部１２内に一定量の水が貯留されていることにより、別途固定具等を設けずとも、給水器の転倒を防ぐことができる。
【００３３】
揚水ポンプ７は、受水部１２内に設置され、汲み上げられた水は、揚水路８を経由して、貯水部２に供給される。
【００３４】
本実施形態においてはさらに、中空糸膜カートリッジ１を経由せずに、貯水部２から受水部１２に通じるバイパス流路１０が設けられている。バイパス流路１０を設けることにより、揚水路８を介する等により貯水部２に連続して水が供給される場合に、中空糸膜カートリッジ１を通過する水の落下速度（通水速度）、揚水ポンプの送液速度等を厳密に管理せずとも、貯水部２から給水器外に水が溢出するのを防ぐことができる。
【００３５】
本実施形態においては、貯水部２とバイパス流路１０との間の仕切壁の高さを超えて溢れた水が、バイパス流路１０に流入するように構成されている。なお、この仕切壁の壁面上の任意の位置に、任意形状の開口部が設けられていてもよい。この場合は、開口部を通じて、バイパス流路１０に水が流入する。
【００３６】
バイパス流路１０内には、水中の不純物を吸着する吸着材を含むろ過部１１が設けられていてもよい。吸着材としては、活性炭、イオン交換樹脂、又はこれらの組み合わせを好適に用いることができるが、これに限定されず、他の公知の吸着材に変更してもよいし、他の公知の吸着材をさらに組み合わせて含んでもよい。また、上記吸着材表面に、銀等のナノ粒子を添着させておいてもよい。銀粒子を含む吸着材は、不純物の吸着作用に加えてさらに抗菌作用を有するため、バイパス経路内を長く清潔な状態に保持することができる。
【００３７】
吸着材が活性炭を含む場合、水中の残留塩素、カルキ臭、カビ臭、およびトリハロメタンなどの有機化合物を好適に除去することができる。また、活性炭は、人体やその他動物の体にほとんど害がないため、誤飲による悪影響を抑えることができる。
【００３８】
吸着材がイオン交換樹脂を含む場合、カルシウム、マグネシウム、鉄、マンガン、セシウム、ヨウ素等のイオン化物質を好適に除去することができる。また、イオン交換樹脂は吸水により膨張するため、水圧による吸着材の偏りが生じにくく、水が吸着材を十分に通過しないこと（いわゆるショートパス）による浄化不良を防ぐことができる。
【００３９】
ろ過部１１を通過した水は、受水部１２に貯留され、揚水ポンプ７から汲み上げられ、揚水路８を経由して、再び貯水部２に供給される。
【００４０】
中空糸膜カートリッジ１を通過する水量と、バイパス流路１０を通過する水量との比率は、カートリッジ及び流路のサイズ、ろ過材又は吸着材の充填率等により、適宜に調整することができる。給水器内の水は、貯水部２と給水部３及び受水部１２との間を複数回循環することにより、中空糸膜カートリッジ１及びろ過部１１の両方を通過する。これにより、赤錆、菌類、残留塩素及びカルキ臭等の各種不純物が除去された安全でおいしい水が、ペットに供給される。
【００４１】
なお、バイパス流路１０は、受水部１２ではなく、給水部３に通じていてもよい。この場合、給水部３からペットが給水する前に、一定時間、給水器内の水を循環させることが好ましい。
【００４２】
ペット用給水器３００は、例えば、貯水部、給水部及び受水部の少なくとも１つに、水温を制御する温度制御システム、例えばエバポレータ等の冷却部を備えていてもよい。また、貯水部２の貯水量を制御する制御部をさらに備えていてもよい。制御部の構成は、例えば、貯水部２の貯水量を検知するセンサ、及び、検知された貯水量に応じて、ポンプの汲み上げ速度を制御する弁等の部材であってもよい。また、給水器内の水量を検出する検出部、減少した水量を自動補給する自動補給部等をさらに備えてもよい。例えば、貯水部２の上部に位置する補給口１３と、原水を供給するタンク又は水道の蛇口とが接続されており、一定量の水の減少が検知された場合に、自動で原水が補給される構成を備えていてもよい。
【００４３】
本実施形態において、その他の点については、実施形態１において説明したとおりである。
【００４４】
本実施形態に係るペット用給水器３００の使用にあたっては、貯水部２及び／又は受水部１２に所定量の原水を補給し、揚水ポンプ７を稼働させて水を循環させればよい。
【００４５】
貯水部２に補給された原水の一部は、その底面に接続される中空糸膜カートリッジ１の水導入口から中空糸膜カートリッジ１内部に流入し、自重により落下して、中空糸膜６の束を通過し、浄水出口から流出する。流出した浄水は、浄水受け室１６を経て、連通壁１４の壁面をつたって給水部３に流入し、さらに、排出口１５から受水部１２に流入する。
【００４６】
一方、貯水部２内の残りの原水は、仕切壁を乗り越えてバイパス流路１０内に流入し、自重により落下して、ろ過部１１を通過し、受水部１２に流入する。
【００４７】
受水部１２に貯留した水は、揚水ポンプ７から汲み上げられ、揚水路８を経由して、再び貯水部２に供給され、再度ろ過に付される。
【００４８】
〔実施形態４〕
次に、図４（ａ）及び（ｂ）に基づいて、実施形態４について説明する。
【００４９】
図４は、本実施形態に係るペット用給水器４００の概略構成を示す（ａ）斜視図及び（ｂ）断面図である。
【００５０】
本実施形態においては、補給口１３が、貯水部２ではなく、バイパス流路１０に連通している点において実施形態３と異なり、その他の点については、実施形態３において説明したとおりである。
【００５１】
本実施形態に係るペット用給水器４００の使用にあたっては、補給口１３から、バイパス流路１０に所定量の原水を補給する。
【００５２】
バイパス流路１０に補給された原水は、ろ過部１１を通過することにより、塵埃、カルキ臭等が除去され、ある程度浄化された状態で、受水部１２に流入する。次いで、受水部１２に貯留した水は、揚水ポンプ７から汲み上げられ、揚水路８を経由して貯水部２に供給される。貯水部２内の水の一部は、中空糸膜カートリッジ１内に流入し、残りは再びバイパス流路１０内に流入する。その後の水の循環は、実施形態３において説明したとおりである。
【００５３】
ろ過部１１を通過させることによってある程度浄化した水を、中空糸膜カートリッジ１に供給することにより、水中の不純物を効率よく除去し、かつ、カートリッジの寿命を延ばすことができる。また、ろ過部１１が吸着材として活性炭を含む場合、原水が、最初に活性炭を通過してから、中空糸膜カートリッジ１を通過することにより、赤錆や菌類だけでなく、塩素が除去されたおいしい水を給水部３に供給することができる。
【００５４】
なお、図４（ｂ）においては、汲み上げられた水が貯水部２のみに供給されるように、揚水路８の排出口は貯水部２上のみに設けられているが、この構成に限定されず、揚水路８の排出口は、バイパス流路１０上にも設けられていてよい。揚水路８から汲み上げられた水を、バイパス流路１０上に再供給する構成とすることにより、例えば、不純物を多く含む原水を、中空糸膜カートリッジ１に通過させる前に、バイパス流路１０のろ過部１１のみを複数回循環させて、許容し得る程度まで浄化することができる。
【００５５】
（付記事項）
本考案の態様１に係るペット用給水器は、中空糸膜カートリッジと、前記中空糸膜カートリッジに水を供給する貯水部と、前記中空糸膜カートリッジを通過した水を貯留する給水部と、を備える。
本考案の態様２に係るペット用給水器は、前記態様１において、前記給水部に貯留された水を前記貯水部に供給する揚水路と、揚水ポンプと、をさらに備えることが好ましい。
本考案の態様３に係るペット用給水器は、前記態様２において、前記給水部の下流に位置する受水部をさらに備え、前記揚水路が、前記受水部を経由することが好ましい。
本考案の態様４に係るペット用給水器は、前記態様１〜３のいずれかにおいて、前記中空糸膜カートリッジを経由せずに、前記貯水部から、前記給水部に水を供給するバイパス流路をさらに備えることが好ましい。
本考案の態様５に係るペット用給水器は、前記態様３において、前記中空糸膜カートリッジを経由せずに、前記貯水部から、前記受水部に水を供給するバイパス流路をさらに備えることが好ましい。
本考案の態様６に係るペット用給水器は、前記態様４又は態様５において、前記バイパス流路が、吸着材を含むろ過部を経由することが好ましい。
本考案の態様７に係るペット用給水器は、前記態様６において、前記吸着材が、活性炭、イオン交換樹脂、及びこれらの組み合わせからなる群より選択されることが好ましい。
本考案の態様８に係るペット用給水器は、前記態様１〜７のいずれかにおいて、水を冷却する冷却部をさらに備えることが好ましい。
本考案の態様９に係るペット用給水器は、前記態様１〜８のいずれかにおいて、前記貯水部の貯水量を制御する制御部をさらに備えることが好ましい。
本考案の態様１０に係るペット用給水器は、前記態様１〜９のいずれかにおいて、給水器内の水量を検出する検出部と、減少した水量を自動補給する自動補給部とをさらに備えることが好ましい。
【００５６】
以下に実施例を示し、本考案の実施の形態についてさらに詳しく説明する。もちろん、本考案は以下の実施例に限定されるものではなく、細部については様々な態様が可能であることはいうまでもない。さらに、本考案は上述した実施形態に限定されるものではなく、請求項に示した範囲で種々の変更が可能であり、それぞれ開示された技術的手段を適宜組み合わせて得られる実施形態についても本考案の技術的範囲に含まれる。
【実施例】
【００５７】
図３に示すものと同様の給水器であって、貯水部の容量が０．５Ｌであり、給水部の容量が０．５Ｌであり、受水部の容量が２．５Ｌであるペット用給水器を用いた。
【００５８】
揚水ポンプの送液速度は１．５Ｌ／ｍｉｎであり、中空糸膜カートリッジのろ過速度（通液速度）は約０．０５Ｌ／ｍｉｎであり、バイパス経路内のろ過部の保持水量は約０．２Ｌとなるように調製した。また、受水部内に設置された揚水ポンプの吸い上げ口は、０．５Ｌ水位線に設けられた。
【００５９】
受水部に原水２．５Ｌを補給し、揚水ポンプの電源を入れて稼働させた。これにより、受水部から揚水路を経て貯水部に水が汲み上げられ、約２０秒後に貯水部が満水（０．５Ｌ）となった。
【００６０】
貯水部に汲み上げられた原水の一部は、中空糸膜カートリッジを通過して給水部に貯留され、ポンプ稼働から約１０分後に給水部が満水（０．５Ｌ）となった。一方、貯水部から溢出した原水は、貯水部の側壁を乗り越えてバイパス流路に流入し、ろ過部（保持水量役０．２Ｌ）を通過して再び受水部に到達した。
【００６１】
ポンプ稼働から１０分後の時点で、受水部の水量は約１．３Ｌであり、揚水ポンプの吸い上げ口がある０．５Ｌ水位線まで、残り０．８Ｌ分の連続給水が可能であった。
【００６２】
ペットが給水することにより、給水部の浄水が０．５Ｌ以下となり、受水部の水量が０．５Ｌまで低下すると、揚水ポンプが水を吸い上げることができなくなるため、受水部又は貯水部に原水を補給する必要がある。
【符号の説明】
【００６３】
１  中空糸膜カートリッジ
２  貯水部
３  給水部
４  水導入口
５  浄水出口
６  中空糸膜
７  揚水ポンプ
８  揚水路
１０  バイパス流路
１１  ろ過部
１２  受水部
１３  補給口
１４  連通壁
１５  排出口
１６  浄水受け室
１００、２００、３００、４００  ペット用給水器
【図１】
0003218829.tif 000003
【図２】
0003218829.tif 000004
【図３】
0003218829.tif 000005
【図４】
0003218829.tif 000006